(57)【要約】【課題】火力調節レバーを左右に移動させることにより火力を調節する火力調節装置では、火力調節レバーは火力調節装置の本体に揺動自在に取り付けられているため、火力調節レバーの先端は円弧上を移動する。そのため、火力調節範囲の中間位置では火力調節レバーの先端が不要に突き出し、煮こぼれが生じると煮汁が火力調節レバーを伝ってガス器具内に侵入するという不具合が生じていた。【解決手段】火力調節用のレバー８を前後方向にスライドできるように保持させると共に、そのレバー８に係合部８３を形成し、湾曲したカム部６５に係合部８３を係合させ、レバー８が移動範囲内の中央部でもっとも後方に引き込まれるようにして、レバー８の先端が直線上を移動するようにした。【選択図】  図４
2006098005.tif 000002
【特許請求の範囲】
【請求項１】
本体に対して左右方向に揺動自在に取り付けられた火力調節レバーを備え、この火力調節レバーを揺動させることによりガスバーナの火力を増減させる火力調節装置において、上記火力調節レバーを、本体に揺動自在に取り付けられた揺動部と、この揺動部に連結されたレバー部とで構成し、揺動部の揺動に連動してレバー部の先端が直線上を移動するように、レバー部を前後方向に進退させる直線運動機構を設けたことを特徴とする火力調節装置。
【請求項２】
上記直線運動機構は、揺動部とレバー部とのうちの一方に設けたカム溝と、他方に設けた、このカム溝に係合する係合部とで構成したことを特徴とする請求項１記載の火力調節装置。
【発明の詳細な説明】
【技術分野】
【０００１】
本発明は、ガステーブルコンロなどの火力調節に用いられる火力調節装置に関する。
【背景技術】
【０００２】
従来のこの種の火力調節装置は、ガスバーナへガスを供給するガス供給路の途中に設置されており、内部にニードル弁を備えている。このニードル弁は火力調節装置内に進退自在に組み付けられている。このニードル弁が進退することによりガス通路の通路面積が増減し、その結果ガスバーナへ供給されるガスの流量が増減して火力が調節される。
【０００３】
ニードル弁は、例えば上下方向に進退するように、すなわち昇降自在に組み込まれており、先端がガス器具の前面に突出した火力調節レバーによってニードル弁の昇降位置が変更できるように構成されている。この火力調節レバーは、火力調節レバーの後端部分が火力調節装置に対して左右方向に揺動自在に取り付けられており、火力調節レバーの先端を左右に移動させることにより火力調節レバーを揺動させ、ニードル弁の昇降位置を調節している（例えば、特許文献１参照）。
【特許文献１】特開平８−１５９４６６号公報（図１および図２）
【発明の開示】
【発明が解決しようとする課題】
【０００４】
図５を参照して、上記従来の火力調節装置では、火力調節レバーＬが火力調節装置に対して支点Ｆを中心に揺動自在に取り付けられているため、火力調節レバーＬを左右に移動させると火力調節レバーＬの先端は円弧上を移動することになる。火力調節レバーＬはガス器具の前面Ｐに突出するように設定されているが、ガス器具の前面Ｐは一般的に平板状であるため、ガス器具の前面Ｐからの火力調節レバーＬの突出量は、火力調節レバーＬの揺動角度によって変化する。
【０００５】
すなわち、火力調節レバーＬの揺動範囲の両端部分で火力調節レバーＬの先端の突出量が最小になるように設定しても、揺動範囲の途中では火力調節レバーＬの先端はガス器具の前面Ｐから不要に突出することになる。
【０００６】
このように火力調節レバーＬが揺動範囲、すなわち火力調節範囲の途中でガス器具の前面Ｐから不要に突出すると、調理中に煮こぼれが生じた場合、煮汁が火力調節レバーＬの突出部分（ハッチング部）にかかり、火力調節レバーＬを伝ってガス器具内に煮汁が侵入するおそれが生じる。煮汁は塩分を含んでいる場合が多く、このように煮汁がガス器具の内部に侵入するとガス器具の内部が腐食するという不具合が生じる。
【０００７】
また、火力調節レバーＬが不要に突出していると、調理の途中で火力調節レバーＬに調理者の身体が接触し、火力調節レバーＬが不用意に移動してしまうという不具合も生じる。
【０００８】
そこで本発明は、上記の問題点に鑑み、火力調節範囲内において火力調節レバーの先端がガス器具の前面から不要に突出することのない火力調節装置を提供することを課題とする。
【課題を解決するための手段】
【０００９】
上記課題を解決するために本発明による火力調節装置は、本体に対して左右方向に揺動自在に取り付けられた火力調節レバーを備え、この火力調節レバーを揺動させることによりガスバーナの火力を増減させる火力調節装置において、上記火力調節レバーを、本体に揺動自在に取り付けられた揺動部と、この揺動部に連結されたレバー部とで構成し、揺動部の揺動に連動してレバー部の先端が直線上を移動するように、レバー部を前後方向に進退させる直線運動機構を設けたことを特徴とする。
【００１０】
上述のように直線運動機構を設けたので、レバー部の先端は直線上を移動する。そのため、レバー部を左右に移動させてもガス器具の前面からのレバー部先端の突出量は常に一定であり、その結果、火力調節範囲の全域にわたってレバー部の先端の突出量を最小限に設定することができる。
【００１１】
ところで、上記直線運動機構はどのような機構であってもよいが、例えば、揺動部とレバー部とのうちの一方に設けたカム溝と、他方に設けた、このカム溝に係合する係合部とで構成してもよい。
【発明の効果】
【００１２】
以上の説明から明らかなように、本発明は、火力調節レバーの先端が火力調節範囲内において不要に突出することがないので、煮こぼれが生じても火力調節レバーに煮汁がかかることがなく、また調理中に調理者の身体が不用意に火力調節レバーに接触して火力が変化するという不具合を回避することができる。
【発明を実施するための最良の形態】
【００１３】
図１を参照して、１はガステーブルコンロであり、上面に２基のガスバーナ１１を備えており、かつ、前面に開口するグリル庫１２を１基備えている。各ガスバーナ１１およびグリル庫１２内のガスバーナ（図示せず）の点火は、ガステーブルコンロ１の前面に設けられた点火ボタン２を押し操作することにより行う。また、点火後の火力調節は点火ボタン２の上方に設けられた火力調節レバー３を左右に移動させることにより行う。
【００１４】
図２および図３を参照して、４が火力調節装置であり、内部にガス通路４１が形成されている。このガス通路４１の途中には上下方向に進退自在のニードル弁４２が取り付けられている。このニードル弁４２を上方に移動させるとガス通路４１の通路面積が増加して流出口４３からのガス流出量が増加し、逆にニードル弁４２を下方に移動させるとガス通路４１の通路面積が狭められ、流出口４３から逃す流出量が減少する。なお、流出口４３から流出したガスは図示しないノズルを介してガスバーナに供給される。
【００１５】
ニードル弁４２には水平方向に突出するピン４２ａが設けられている。このピン４２ａは固定板５の案内溝５３に挿通されている。この固定板５は火力調節装置４の本体に固定されている。この固定板５の上面にはガイド穴５４が形成されており、そのガイド穴５４に対して揺動軸７３が嵌るように揺動部材７がセットされる。この揺動部材７には把持溝７１が形成されており、上記のピン４２ａがこの把持溝７１に挿通される。
【００１６】
したがって、揺動部材７がガイド穴５４を中心に揺動すると、ピン４２ａが左右に移動し、その左右の移動によってピン４２ａは案内溝５３の内壁に沿って昇降する。この昇降によってニードル弁４２が上下方向に進退し、ガスバーナの火力が調節される。
【００１７】
揺動部材７を覆うように、カム板６が固定板５に固定される。固定板５には係合突起５１と係合穴５２とが形成されており、係合突起５１がカム板６の窓穴６１に係合し、かつカム板６の下面に形成した１対の係合爪６２が係合穴５２に係合することによってカム板６が固定板５に固定される。なお、このようにカム板６を固定板５に固定しても揺動部材７がスムーズに揺動し得るように固定板５とカム板６との隙間を設定している。また、揺動部材７の上面には係合突起７２を形成したが、カム板６には逃げ穴６３を形成し、カム板６が揺動部材７の邪魔にならないようにした。
【００１８】
８はレバー部材であり、カム板６に対して前後方向にスライド自在に保持される。カム板６の上面には１対の押さえ爪６６が形成されており、この押さえ爪６６がレバー部材８の浮き上がりを防止する。また、レバー部材８には前後方向に長手の長穴８１が形成されており、この長穴８１とカム板６の上面に形成した突起６４とが係合して、レバー部材８がカム板６に対して前後方向にスライド自在に保持される。
【００１９】
レバー部材８には前後方向に長手の把持窓８２が形成されており、この把持窓８２に上記係合突起７２が挿通される。したがって、レバー部材８の前端を左右に移動させると、レバー部材８は長穴８１と突起６４との係合部分を中心に揺動し、かつ、係合突起７２を介して揺動部材７を揺動させる。したがって、レバー部材８の前端を左右に移動させることにより揺動部材７が揺動され、その結果火力が調節される。
【００２０】
レバー部材８には係合部８３が突設されており、この係合部８３に係合するカム部６５がカム板６に形成されている。なお、９は抜け止め部材であり、１対の係合部９１がレバー部材８に形成した係合窓８４に係合してレバー部材８がカム板６から抜けて脱落することを防止している。また、カム板６の前部下面には図示しないが左右方向に並設された複数の突起が櫛歯状に形成されており、抜け止め部材９に形成した突起９２がその櫛歯状の突起に係合してレバー部材８を左右に揺動させる際にラチェット感を生じさせるようにした。
【００２１】
図４を参照して、レバー部材８を左右に移動させると、係合部８３がカム部６５に沿うのでレバー部材８の移動範囲中の中央部分でレバー部材８が後方に引き込まれる。そのため図示のようにレバー部材８の先端は直線上を移動することになる。
【００２２】
ところで、上記実施の形態では、係合部８３をレバー部材８に設け、カム部６５をカム板６に形成したが、レバー部材８にカム板を設け、係合部をカム板に形成してもよい。あるいは、レバー部材８に係合部を形成すると共にレール状のカム部をガステーブルコンロ１の前面パネルの内側に取り付けるようにしてもよい。
【００２３】
なお、本発明は上記した形態に限定されるものではなく、本発明の要旨を逸脱しない範囲内において種々の変更を加えてもかまわない。
【図面の簡単な説明】
【００２４】
【図１】本発明の一実施の形態の構成を示す図
【図２】火力調節装置の断面図
【図３】火力調節レバーの分解斜視図
【図４】火力調節レバーの移動状態を示す平面図
【図５】従来の火力調節装置における火力調節レバーの移動状態を示す図
【符号の説明】
【００２５】
１ ガステーブルコンロ
２ 点火ボタン
３ 火力調節レバー
４ 火力調節装置
５ 固定板
６ カム板
７ 揺動部材
８ レバー部材
４２ ニードル弁
４２ａ ピン
６５ カム部
７２ 係合突起
７３ 揺動軸
８１ 長穴
８２ 把持窓
８３ 係合部
Ｆ 支点
Ｌ 火力調節レバー
Ｐ 前面
【図１】
2006098005.tif 000003
【図２】
2006098005.tif 000004
【図３】
2006098005.tif 000005
【図４】
2006098005.tif 000006
【図５】
2006098005.tif 000007